(57)【要約】【課題】  手間をかけずに、調べたい料理に特定の食材が含まれているかどうかを確認することのできる食品情報提供システムを提供すること。【解決手段】本発明における食品情報提供システムは、メニュー２００と食品情報提供装置１００を備える。メニュー２００は、掲載された料理に使われている食材についての情報が予め記録された記憶手段と、食材情報を送信する通信手段を備える。前記食品情報提供装置１００は、利用者の指定した食材についての情報が予め記録されており、受信した食材情報と比較することにより、メニュー２００に掲載された料理に使われている食材に利用者の指定した食材が含まれているかどうかを判定する比較手段と、前記比較手段により比較された結果を利用者に通知する通知手段を備える。このような構成により、手間をかけずに、調べたい料理に特定の食材が含まれているかを確認することが可能となる。【選択図】図１
2005284560.tif 000002
【特許請求の範囲】
【請求項１】
メニューと食品情報提供装置を備えた食品情報提供システムであって、
前記メニューは、前記メニューに掲載された料理に使われている食材の情報である第１の食材情報が予め格納された第１の記憶手段と、前記第１の記憶手段に格納された前記第１の食材情報を送信する通信手段を備え、
前記食品情報提供装置は、利用者の指定した食材の情報である第２の食材情報が予め格納された第２の記憶手段と、前記メニューの通信手段により送信された前記第１の食材情報を受信する通信手段と、前記通信手段により受信された前記第１の食材情報と前記第２の記憶手段に格納された前記第２の食材情報を比較することにより前記メニューに掲載された料理に使われている食材に利用者の指定した食材が含まれているかどうかを判定する比較手段と、前記比較手段により比較された結果を利用者に通知する通知手段を備えた食品情報提供システム。
【請求項２】
前記第１の記憶手段は、ＲＦＩＤ（Radio Frequency IDentification）タグに備えられた記憶手段であり、
前記通信手段は、ＲＦＩＤシステムによる通信手段であることを特徴とする請求項１に記載の食品情報提供システム。
【請求項３】
メニューと、食材に取り付けられたタグと、食品情報登録装置と、食品情報提供装置を備えた食品情報提供システムであって、
前記メニューは、前記メニューに掲載された料理に使われている食材についての情報である第１の食材情報が予め格納された第１の記憶手段と、前記第１の記憶手段に格納された前記第１の食材情報を送信する第１の通信手段を備え、
前記タグは、当該食材についての情報である第２の食材情報を格納する第２の記憶手段と、前記第２の記憶手段に格納された前記第２の食材情報を送信する第２の通信手段を備え、
前記食品情報登録装置は、前記第２の通信手段により送信された前記第２の食材情報を受信する通信手段と、前記通信手段により受信した前記第２の食材情報に基づいて、前記メニューの第１の記憶手段に格納された前記第１の食材情報を書き換える書き換え手段を備え、
前記食品情報提供装置は、利用者の指定した食材である第３の食材情報が格納された第３の記憶手段と、前記第１の通信手段から前記第１の食材情報を受信する通信手段と、受信した前記第１の食材情報と前記第３の記憶手段に格納された前記第３の食材情報を比較することにより前記メニューに掲載された料理に使われている食材に利用者の指定した食材が含まれているかどうかを判定する比較手段と、前記比較手段により比較された結果を利用者に通知する通知手段を備えた食品情報提供システム。
【請求項４】
前記第１の記憶手段及び第２の記憶手段は、ＲＦＩＤタグに備えられた記憶手段であり、
前記第１の通信手段及び第２の通信手段は、ＲＦＩＤシステムによる通信手段であることを特徴とする請求項３に記載の食品情報提供システム。
【請求項５】
メニューと通信を行う食品情報提供装置であって、
利用者の指定した食材についての情報である第１の食材情報が予め記録された記憶手段と、
前記メニューに掲載された料理に使われている食材の情報である第２の食材情報を前記メニューから受信する通信手段と、
前記第１の食材情報と前記第２の食材情報を比較することにより前記メニューに掲載された料理に使われている食材に利用者の指定した食材が含まれているかどうかを判定する比較手段と、
前記比較手段により比較された結果を利用者に通知する通知手段を備えた食品情報提供装置。
【請求項６】
前記通信手段は、ＲＦＩＤシステムによる通信手段であることを特徴とする請求項５に記載の食品情報提供装置。
【請求項７】
食品情報提供装置が、メニューに対して、前記メニューに掲載された料理に使われている食材についての情報である第１の食材情報の送信要求を送信する第１のステップと、
前記メニューが前記要求を受信し、前記食品情報提供装置に対して、前記第１の食材情報を送信する第２のステップと、
前記食品情報提供装置が、予め記録された利用者の指定した食材についての情報である第２の食材情報と受信した前記第１の食材情報を比較することにより前記メニューに掲載された料理に使われている食材に利用者の指定した食材が含まれているかどうかを判定する第３のステップと、
前記判定結果を利用者に通知する第４のステップを備えた食品情報提供方法。
【請求項８】
食品情報登録装置が、食材に取り付けられたタグに対して当該食材についての情報である第１の食材情報を送信する要求を送信する第１のステップと、
前記タグが前記要求を受信し、前記食品情報登録装置に対して、前記第１の食材情報を送信する第２のステップと、
前記食品情報登録装置が、前記第１の食材情報に基づいて、前記メニューに予め記録された前記メニューに掲載された料理に使われている食材についての情報である第２の食材情報を書き換える第３のステップと、
前記食品情報提供装置が、前記メニューに対して、前記第２の食材情報を送信する要求を送信する第４のステップと、
前記メニューが前記要求を受信し、前記食品情報提供装置に対して、前記第２の食材情報を送信する第５のステップと、
前記食品情報提供装置が、予め記録された利用者の指定した食材についての情報である第３の食材情報と受信した前記第２の食材情報を比較することにより前記メニューに掲載された料理に使われている食材に利用者の指定した食材が含まれているかどうかを判定する第６のステップと、
前記判定結果を利用者に通知する第７のステップを備えた食品情報提供方法。
【発明の詳細な説明】
【技術分野】
【０００１】
本発明は、食品情報提供システム及び食品情報提供方法に関するものであり、より詳細には、指定した食材が料理に含まれているかどうかを通知する食品情報提供システム及び食品情報提供方法に関する。
【背景技術】
【０００２】
レストラン等で注文した料理について、出された料理に何が入っているかを食べる前に知るには、目で見て判断するしかない。ところが、その場合に料理に使われた食材全てを知ることはほとんど不可能であり、特定の食材に対してアレルギーを持つ人がその特定の食材が注文した料理に入っていることに気がつかず、アレルギー反応を起こしてしまう、という問題が起こっている。
【０００３】
そこで、特定の食材が含まれる場合メニューにその旨を記載するという対策が行われている。また、サーバーに食品情報を登録しておき、専用の装置を利用してアレルギーの原因となる食材が含まれているかどうかを確認する、というシステムも提案されている（例えば、特許文献１など）。
【特許文献１】特開２００２−７７９５号公報
【発明の開示】
【発明が解決しようとする課題】
【０００４】
しかしながら、メニューに食材を記載する場合、アレルギーの原因となる食材は人により異なるので、全ての食材について記載しなければならず、メニューが読みにくいものになってしまう。また、同じメニューでも使われる食材を変えた場合に、メニューをつくり直す必要があり、手間のかかるものとなってしまう。
【０００５】
一方、サーバーに情報を登録するというシステムは、サーバーとネットワーク回線が必要となりシステムが大掛かりなものになってしまう。また、複数の食材に対してアレルギーがある場合に、複数の食材について、サーバーに接続し、食材情報を入力し、食材が含まれるかどうかを確認する、という手間のかかるものであった。
【０００６】
本発明は、このような問題点を解決するためになされたものであり、一度の入力だけで手間をかけずに、調べたい料理に特定の食材が含まれているかどうかを確認することのできる食品情報提供システム及び食品情報提供方法を提供することが可能となる。
【課題を解決するための手段】
【０００７】
本発明における食品情報提供システムは、メニューと食品情報提供装置を備えた食品情報提供システムであって、前記メニューは、前記メニューに掲載された料理に使われている食材の情報である第１の食材情報が予め格納された第１の記憶手段と、前記第１の記憶手段に格納された前記第１の食材情報を送信する通信手段を備え、前記食品情報提供装置は、利用者の指定した食材の情報である第２の食材情報が予め格納された第２の記憶手段と、前記メニューの通信手段により送信された前記第１の食材情報を受信する通信手段と、前記通信手段により受信された前記第１の食材情報と前記第２の記憶手段に格納された前記第２の食材情報を比較することにより前記メニューに掲載された料理に使われている食材に利用者の指定した食材が含まれているかどうかを判定する比較手段と、前記比較手段により比較された結果を利用者に通知する通知手段を備えた食品情報提供システムである。このような構成により、手間をかけずに、調べたい料理に特定の食材が含まれているかどうかを確認することが可能となる。
【０００８】
前記第１の記憶手段は、ＲＦＩＤ（Radio Frequency IDentification）タグに備えられた記憶手段であり、前記通信手段は、ＲＦＩＤシステムによる通信手段であることを特徴としてもよい。こうすることにより取り付けやすく安価にシステムを構成することが可能となる。
【０００９】
本発明における食品情報提供システムは、メニューと、食材に取り付けられたタグと、食品情報登録装置と、食品情報提供装置を備えた食品情報提供システムであって、前記メニューは、前記メニューに掲載された料理に使われている食材についての情報である第１の食材情報が予め格納された第１の記憶手段と、前記第１の記憶手段に格納された前記第１の食材情報を送信する第１の通信手段を備え、前記タグは、当該食材についての情報である第２の食材情報を格納する第２の記憶手段と、前記第２の記憶手段に格納された前記第２の食材情報を送信する第２の通信手段を備え、前記食品情報登録装置は、前記第２の通信手段により送信された前記第２の食材情報を受信する通信手段と、前記受信手段により受信した前記第２の食材情報に基づいて、前記メニューの第１の記憶手段に格納された前記第１の食材情報を書き換える書き換え手段を備え、前記食品情報提供装置は、利用者の指定した食材である第３の食材情報が格納された第３の記憶手段と、前記第１の通信手段から前記第１の食材情報を受信する通信手段と、受信した前記第１の食材情報と前記第３の記憶手段に格納された前記第３の食材情報を比較することにより前記メニューに掲載された料理に使われている食材に利用者の指定した食材が含まれているかどうかを判定する比較手段と、前記比較手段により比較された結果を利用者に通知する通知手段を備えた食品情報提供システムである。このような構成により、食材の登録及び変更を容易に行うことが可能となる。
【００１０】
前記第１の記憶手段及び第２の記憶手段は、ＲＦＩＤタグに備えられた記憶手段であり、前記第１の通信手段及び第２の通信手段は、ＲＦＩＤシステムによる通信手段であることを特徴としてもよい。
【００１１】
本発明における食品情報提供装置は、メニューと通信を行う食品情報提供装置であって、利用者の指定した食材についての情報である第１の食材情報が予め記録された記憶手段と、前記メニューに掲載された料理に使われている食材の情報である第２の食材情報を前記メニューから受信する通信手段と、前記第１の食材情報と前記第２の食材情報を比較することにより前記メニューに掲載された料理に使われている食材に利用者の指定した食材が含まれているかどうかを判定する比較手段と、前記比較手段により比較された結果を利用者に通知する通知手段を備えた食品情報提供装置である。このような構成により、手間をかけずに、調べたい料理に特定の食材が含まれているかどうかを確認することが可能となる。
【００１２】
前記通信手段は、ＲＦＩＤシステムによる通信手段であることを特徴としてもよい。
【００１３】
本発明における食品情報提供方法は、食品情報提供装置が、メニューに対して、前記メニューに掲載された料理に使われている食材についての情報である第１の食材情報の送信要求を送信する第１のステップと、前記メニューが前記要求を受信し、前記食品情報提供装置に対して、前記第１の食材情報を送信する第２のステップと、前記食品情報提供装置が、予め記録された利用者の指定した食材についての情報である第２の食材情報と受信した前記第１の食材情報を比較することにより前記メニューに掲載された料理に使われている食材に利用者の指定した食材が含まれているかどうかを判定する第３のステップと、前記判定結果を利用者に通知する第４のステップを備えた食品情報提供方法である。このような構成により、手間をかけずに、調べたい料理に特定の食材が含まれているかどうかを確認することが可能となる。
【００１４】
本発明における食品情報提供方法は、食品情報登録装置が、食材に取り付けられたタグに対して当該食材についての情報である第１の食材情報を送信する要求を送信する第１のステップと、前記タグが前記要求を受信し、前記食品情報登録装置に対して、前記第１の食材情報を送信する第２のステップと、前記食品情報登録装置が、前記第１の食材情報に基づいて、メニューに予め記録された前記メニューに掲載された料理に使われている食材についての情報である第２の食材情報を書き換える第３のステップと、前記食品情報提供装置が、前記メニューに対して、前記第２の食材情報を送信する要求を送信する第４のステップと、前記メニューが前記要求を受信し、前記食品情報提供装置に対して、前記第２の食材情報を送信する第５のステップと、前記食品情報提供装置が、予め記録された利用者の指定した食材についての情報である第３の食材情報と受信した前記第２の食材情報を比較することにより前記メニューに掲載された料理に使われている食材に利用者の指定した食材が含まれているかどうかを判定する第６のステップと、前記判定結果を利用者に通知する第７のステップを備えた食品情報提供方法である。このような構成により、食材の登録及び変更を容易に行うことが可能となる。
【発明の効果】
【００１５】
本発明によれば、一度の入力だけで手間をかけずに、調べたい料理に特定の食材が含まれているかどうかを確認することのできる食品情報提供システム及び食品情報提供方法を提供することが可能となる。
【発明を実施するための最良の形態】
【００１６】
発明の実施の形態１．
図１は、本発明の実施の形態１にかかる食品情報提供システムの構成を示すブロック図である。食品情報提供システムは、食品情報提供装置１００とメニュー２００を備えている。
【００１７】
食品情報提供装置１００は、記憶手段１０１、通信手段１０２、比較手段１０３、通知手段１０４、入力手段１０５、電源１０６を備えている。食品情報提供装置１００は、ＰＤＡや携帯電話など持ち運び可能な小型の端末であることが望ましい。
【００１８】
記憶手段１０１は、利用者の指定した食材情報を記録しておくもので、ＲＡＭ（Ｒａｎｄｏｍ  Ａｃｃｅｓｓ  Ｍｅｍｏｒｙ）等により構成される。メモリースティック（登録商標）等の取り外し可能な記憶媒体であってもよい。記憶手段１０１には利用者の指定した食材情報が予め記録されてあるものとするが、入力手段１０５により入力または書き換えを行ってもよい。また、取り外し可能な記憶媒体を用いて、ＰＣやＰＤＡなどの別の機器によって入力または書き換えを行っても良い。利用者の指定した食材情報とは、例えば、利用者がそばアレルギーの場合はそばの情報というように、利用者のアレルギーの原因となる食材の情報にしてもよいし、逆に、利用者がうなぎ好きで、うなぎの料理を食べたいと思った場合にうなぎの情報というように食べたいものの情報を記録してもよい。
【００１９】
通信手段１０２は、ＲＦＩＤ（Ｒａｄｉｏ  Ｆｒｅｑｕｅｎｃｙ  ＩＤｅｎｔｉｆｉｃａｔｉｏｎ）システム等による通信手段であり、メニュー２００から送信される食材情報を受信する機能を有する。比較手段１０３は、記憶手段１０１に記録された食材情報と通信手段１０２により受信した食材情報を比較するものであり、ＣＰＵ（Ｃｅｎｔｒａｌ  Ｐｒｏｃｅｓｓｉｎｇ  Ｕｎｉｔ）等により構成される。通知手段１０４は、比較手段１０３により比較した結果を利用者へ通知するものである。通知方法はＬＥＤの点灯などの光による通知方法でもよいし、ブザーや音楽などの音による通知方法でもよい。また、バイブレーション等の振動による通知方法でもよい。
【００２０】
入力手段１０５は、利用者が食材の判定を行いたいときに押すボタンなど利用者が入力を行うものである。また、別途キーボード等により利用者が指定したい食材情報を入力するようにしてもよい。電源１０６は、食品情報提供装置の各所に動作のための電源を供給するものであり、電池などの持ち運び可能なものが望ましい。
【００２１】
メニュー２００は、表示手段２０１、記憶手段２０２、通信手段２０３を備える。表示手段２０１は、提供される料理の品目が表示されてあるものであり、通常のメニューと同様に紙に印刷されたものでも写真でもよい。
【００２２】
記憶手段２０２は、表示手段２０１に表示された料理に関連付けられて、各料理の材料となる食材情報を記録するものである。記憶手段２０２は、ＲＦＩＤタグなどにより実現されるが、この場合、ＲＦＩＤタグは、料理１品目ごとに取り付けてもよいし、記憶容量が大きい場合は、複数の料理やメニュー全体で１つのＲＦＩＤタグを取り付けるようにしてもよい。記憶手段２０２には、予め食材情報が記録されてあるものとする。通信手段２０３は、記憶手段２０２に記録された食材情報を食品情報提供装置１００へ送信するものである。
【００２３】
続いて、図２に示すシーケンス図を用いて、本発明の実施の形態１にかかる食品情報提供システムの処理の流れについて説明する。記憶手段１０１には、利用者が指定した特定の食材情報が、記憶手段２０２には、メニューに掲載されている料理の食材情報が予め記録されてあるものとする。図３は記憶手段１０１と記憶手段２０２に記録されている食材情報の例である。この例では、利用者は例えばそばアレルギー等でそばの含まれる食品を食べられないために食材情報としてそばを記録しており、メニューに記載されているシーフードスパゲッティは、食材としてえび、いか、あさり、パスタ、オリーブオイルが使われているので、その情報が記録されている。
【００２４】
まず、利用者がメニュー２００を見て、メニュー２００に掲載されている特定の料理について記憶手段１０１に記録された食材情報が含まれるかどうか確認したい旨の指示を入力する（Ｓ１０１）。この場合の指示は具体的には、メニュー２００の特定の料理が表示されているページに近づけて食品情報提供装置１００に備えられたボタンを押す、等の簡単なものが望ましい。
【００２５】
指示が入力されると、食品情報提供装置１００は、通信手段１０２を用いてメニュー２００に備えられた記憶手段２０２に記録されている食材情報の送信要求を送信する（Ｓ１０２）。
【００２６】
メニュー２００は、通信手段２０３により食品情報提供装置１００からの送信要求を受信すると、記憶手段２０２に記録されている食材情報を読み出し、食品情報提供装置１００へ送信する（Ｓ１０３）。
【００２７】
食品情報提供装置１００は、通信手段１０２によりメニュー２００からの食材情報を受信すると、比較手段１０３により、先ほどメニュー２００より受信した食材情報の中に、記憶手段１０１に記録されている食材情報が含まれているかどうかの判定を行う（Ｓ１０４）。例えば、食材情報が図３のようであったとすると、メニュー２００に掲載されているシーフードスパゲッティに使われている食材にそばは含まれていないので、含まれていないという判定結果になる。
【００２８】
判定が完了すると食品情報提供装置１００は、通知手段１０４によりその判定結果を利用者へ通知する（Ｓ１０５）。この場合の通知方法は、食材が含まれている場合にランプが点滅する、食材が含まれている場合にブザーが鳴る、等の直感的に分かりやすいものが望ましい。
【００２９】
このようにして利用者は、メニューに掲載されている料理に特定の食材が含まれているかどうかを簡単に知ることが可能となる。また、食材情報の書き換えも容易に行うことが可能なので、同じメニューでありながら季節により付け合せの食材が変わるという状況でも迅速に対応することが可能となる。
【００３０】
発明の実施の形態２．
発明の実施の形態１における構成に加え、更にタグの取り付けられた食材と食品情報登録装置を加え、メニューに記録される食材情報の登録及び書き換えを更に簡単にした例である。
【００３１】
図４は、本発明の実施の形態２にかかる食品情報提供システムの全体構成を示すブロック図である。食品情報提供システムは、食品情報提供装置１００とメニュー２００と食品情報登録装置３００とタグ付食材４００を備えている。食品情報提供装置１００とメニュー２００の構成については本発明の実施の形態１と同様であり、ここでは説明を省略する。
【００３２】
食品情報登録装置３００は、通信手段３０１と書き換え手段３０２を備える。通信手段３０１は、タグ付食材４００に取り付けられたタグに記録された食材情報を受信する機能を有し、書き換え手段３０２は、メニュー２００に備えられた記憶手段を書き換える機能を有する。受信手段３０１、書き換え手段３０２共にＲＦＩＤシステムによるＲＦＩＤタグの読み取り、書き換え等の方法により無線で読み取り無線での読み取り、書き換えが行えることが望ましい。
【００３３】
タグ付食材４００は、食材４０１とタグ４０２を備えている。タグ４０２は、例えばＲＦＩＤタグなどであり、記憶手段４０２１と通信手段４０２２を備える。食材４０１は、実際にメニューに記載されている料理の材料となる食材である。記憶手段４０２１は、食材４０１の食材情報が記録されている。通信手段４０２２は、記憶手段４０２１に記録された内容を送信する機能を有する。
【００３４】
続いて、図５に示すシーケンス図を用いて、本発明の実施の形態２にかかる食品情報提供システムの処理の流れについて説明する。記憶手段１０１には、利用者が指定した特定の食材情報が、記憶手段２０２には、メニューに掲載されている料理の食材情報が、記憶手段４０２１には食材４０１の食材情報が予め記録されてあるものとする。図６は記憶手段１０１と記憶手段２０２と記憶手段４０２１に記録されている食材情報の例である。この例では、利用者は例えばそばアレルギー等でそばの含まれる食品を食べられないために食材情報としてそばを記録しており、メニューに記載されているシーフードスパゲッティは、食材としてえび、いか、あさり、パスタ、オリーブオイルが使われているので、その情報が記録されている。また、食材としてあさりの代わりにムール貝が使われるとする。この時、食材ムール貝にタグがついており、タグにはその情報が記録されている。
【００３５】
まず、食品情報登録装置３００を利用してメニュー２００の食材情報を書き換える時の処理の流れについて説明する。食材４０１を調理する際に食材情報の書き換えができるように、食品情報登録装置３００は、調理場などに置かれることが望ましい。
【００３６】
まず、食品情報登録装置３００は、通信手段３０１を用いて、調理の際に食材４０１についてタグから食材の情報の送信要求を送信する（Ｓ２０１）。タグ付食材４００は、要求を受信すると、通信手段４０２２を用いて記憶手段４０２１に記録された食材情報を食品情報登録装置３００へ送信する（Ｓ２０２）。
【００３７】
食品情報登録装置３００は、食材情報を受信すると、書き換え手段３０２を用いてその食材情報をメニュー２００へ登録する（Ｓ２０３）。メニュー２００内の記憶手段２０２の食材情報は書き換え手段３０２により、食材４０１の食材情報に書き換えられる（Ｓ２０４）。記憶手段２０２の食材情報のどの部分を書き換えるかの指定については、食品情報登録装置３００上で選択できるようにしてもよいし、どの位置を書き換えるかを予め決めておくようにしてもよい。書き換え後の記憶手段２０２の食材情報は図７のようになる。
【００３８】
このようにして、メニュー２００の食材情報の書き換えが調理時に簡単な操作で行われる。その後、食品情報提供装置１００とメニュー２００間でメニュー２００に掲載されている料理に食品情報提供装置１００に予め登録されている食材が含まれているかどうかの判定が行われるが、その後の処理の流れについては図２に示すシーケンス図と同様であり、ここでは説明を省略する。
【００３９】
このようにして、調理時に実際に使われる食材の情報を登録することにより、登録忘れを防止する効果が期待できる。また、実際に食材が使われるときに登録することにより、使われない食材が誤って登録されてしまう危険も防止することが可能となる。
【００４０】
その他の発明の実施の形態．
上述の例では、メニュー１品目ごとに食材情報の受信を行ったが、複数の品目の食材情報をまとめて受信し、食品情報提供装置に表示手段を備え、入力手段により選択できるようにしてもよい。
【図面の簡単な説明】
【００４１】
【図１】本発明にかかる食品情報提供システムの全体構成を示すブロック図である。
【図２】本発明にかかる食品情報提供システムの処理の流れを示すシーケンス図である。
【図３】本発明にかかる食材情報の例を示す図である。
【図４】本発明にかかる食品情報提供システムの全体構成を示すブロック図である。
【図５】本発明にかかる食品情報提供システムの処理の流れを示すシーケンス図である。
【図６】本発明にかかる食材情報の例を示す図である。
【図７】本発明にかかる食材情報の例を示す図である。
【符号の説明】
【００４２】
１００    食品情報提供装置
１０１    記憶手段
１０２    通信手段
１０３    比較手段
１０４    通知手段
１０５    入力手段
１０６    電源
２００    メニュー
２０１    表示手段
２０２    記憶手段
２０３    通信手段
３００    食品情報登録装置
３０１    通信手段
３０２    書き換え手段
４００    タグ付食材
４０１    食材
４０２    タグ
４０２１  記憶手段
４０２２  通信手段
【図１】
2005284560.tif 000003
【図２】
2005284560.tif 000004
【図３】
2005284560.tif 000005
【図４】
2005284560.tif 000006
【図５】
2005284560.tif 000007
【図６】
2005284560.tif 000008
【図７】
2005284560.tif 000009